(57)【要約】【課題】入力配線または出力配線の取り回しのための空間を確保する必要がない端子台構造を提供することを目的とする。【解決手段】複数の入力配線にそれぞれ接続される各入力端子が階段状に設けられ、かつ、複数の出力配線にそれぞれ接続される各出力端子が階段状に設けられる端子台１と、端子台１と一体成型され、各入力端子のうち出力端子として兼用される入力端子以外の入力端子と各出力端子のうち入力端子として兼用される出力端子以外の出力端子とを電気的に接続するバスバー２とを備えて端子台構造を構成する。【選択図】図１
2008103249.tif 000002
【特許請求の範囲】
【請求項１】
複数の入力配線と複数の出力配線とがそれぞれ端子台において電気的に接続される端子台構造であって、
前記複数の入力配線にそれぞれ接続される各入力端子が階段状に設けられ、かつ、前記複数の出力配線にそれぞれ接続される各出力端子が階段状に設けられる端子台と、
前記端子台と一体成型され、前記各入力端子のうち前記出力端子として兼用される入力端子以外の入力端子と前記各出力端子のうち前記入力端子として兼用される出力端子以外の出力端子とを電気的に接続するバスバーと、
を備えることを特徴とする端子台構造。
【請求項２】
請求項１に記載の端子台構造であって、
前記バスバーは、直線状に形成されている、
ことを特徴とする端子台構造。
【請求項３】
請求項１に記載の端子台構造であって、
前記バスバーは、Ｌ字状に形成されている、
ことを特徴とする端子台構造。
【発明の詳細な説明】
【技術分野】
【０００１】
本発明は、複数の入力配線と複数の出力配線とがそれぞれ端子台において電気的に接続される端子台構造に関する。
【背景技術】
【０００２】
複数の入力配線と複数の出力配線とがそれぞれ端子台において電気的に接続される端子台構造は、複数の入力配線と複数の出力配線の各接続部をそれぞれ独立に端子台に固定することができるため、接続部同士の絶縁性を確保する上で有用である。（例えば、特許文献１参照）
図２は、既存の端子台構造を示す図である。図２（ａ）は、端子台構造を上から見た図であり、図２（ｂ）は、端子台構造を図２（ａ）の矢印Ａ方向から見た図である。
【０００３】
図２（ａ）及び図２（ｂ）に示す既存の端子台構造では、入力配線としての入力バスバー２０の端部に形成される孔と、出力配線としての出力電線２１端部の圧着端子２２に形成される孔にそれぞれ２段の階段状に形成される端子台２３の下段に設けられるボルトが通されそのボルトと入力バスバー２０及び圧着端子２２とがナット２４により固定されている。これにより、入力バスバー２０及び出力電線２１が互いに電気的に接続されている。また、同様に、入力配線としての入力バスバー２５の端部に形成される孔と、出力配線としての出力電線２６端部の圧着端子２７に形成される孔にそれぞれ端子台２３の上段に設けられるボルトが通されそのボルトと入力バスバー２５及び圧着端子２７とがナット２８により固定されている。これにより、入力バスバー２５及び出力電線２６が互いに電気的に接続されている。なお、端子台２３は、ボルト２９により所定の装置に固定されているものとする。
【特許文献１】特開２００４−３２８９３２号公報
【発明の開示】
【発明が解決しようとする課題】
【０００４】
しかしながら、上述の端子台構造では、入力バスバー２０、２５及び出力電線２６をそれぞれ端子台２３の長手方向に沿って同一直線上に組み付けることができるが、出力電線２１は端子台２３の上段をよけるように曲げて組み付ける必要があり、出力電線２１を曲げるための空間（図２（ａ）に示す破線枠付近の空間）を端子台２３の隣に余分に確保する必要がある。そのため、端子台２３を備える装置内に空間の余裕がない場合には、出力電線２１を曲げるための空間分装置全体が大型化してしまうという問題がある。また、入力バスバー２０と出力電線２１との組付け位置が入れ替わっても、上述と同様に、入力バスバー２０を端子台２３の上段をよけるように曲げて形成する必要があり入力バスバー２０を曲げて形成する分端子台２３の隣に余分な空間を確保しなくてはならない。
【０００５】
そこで、本発明では、入力配線または出力配線の取り回しのための空間を確保する必要がない端子台構造を提供することを目的とする。
【課題を解決するための手段】
【０００６】
上記の課題を解決するために本発明では、以下のような構成を採用した。
すなわち、本発明の端子台構造は、複数の入力配線と複数の出力配線とがそれぞれ端子台において電気的に接続される端子台構造であって、前記複数の入力配線にそれぞれ接続される各入力端子が階段状に設けられ、かつ、前記複数の出力配線にそれぞれ接続される各出力端子が階段状に設けられる端子台と、前記端子台と一体成型され、前記各入力端子のうち前記出力端子として兼用される入力端子以外の入力端子と前記各出力端子のうち前記入力端子として兼用される出力端子以外の出力端子とを電気的に接続するバスバーとを備えることを特徴とする。
【０００７】
これにより、複数の入力配線と複数の出力配線とをそれぞれ同一直線上に（又は、端子台の長手方向に沿って）組み付けることができるので、入力配線または出力配線を取り回すために曲げる必要がなくなり端子台の隣に（又は、端子台の長手方向の側面）余分な空間を確保しなくてもよくなる。そのため、端子台を装置に備える際のその装置の大型化を防止することができる。
【０００８】
また、上記バスバーを直線状に形成してもよい。
これにより、端子台を直線状に形成することができるので、その端子台が装置に設置される場合のその端子台周辺の空間を有効利用することができる。
【０００９】
また、上記バスバーをＬ字状に形成してもよい。
これにより、端子台をＬ字状に形成することができるので、その端子台が装置の隅に設置される場合のその装置の隅の空間を有効利用することができる。
【発明の効果】
【００１０】
本発明によれば、複数の入力配線と複数の出力配線とがそれぞれ端子台において電気的に接続される端子台構造において、入力配線または出力配線の取り回しのための空間を確保する必要がなくなる。
【発明を実施するための最良の形態】
【００１１】
以下、図面を用いて本発明の実施形態を説明する。
図１は、本発明の実施形態の端子台構造を示す図である。図１（ａ）は、端子台構造を上から見た図であり、図１（ｂ）は、端子台構造を図１（ａ）の矢印Ａ方向から見た図であり、図１（ｃ）は、図１（ａ）及び図１（ｂ）に示す２段のピラミッド状に形成される端子台１と一体成型されるバスバー２の斜視図である。なお、図１に示す構成において図２に示す構成と同じ構成には同じ符号を付している。
【００１２】
図１（ａ）及び図１（ｂ）に示す本実施形態の端子台構造では、入力配線としての入力バスバー２０の端部に形成される孔にバスバー２の一方端に設けられるボルト３（図１（ｃ）参照）を通しそのボルト３と入力バスバー２０とをナット４により固定し、かつ、出力配線としての出力電線２１端部の圧着端子２２に形成される孔にバスバー２の他方端に設けられるボルト５（図１（ｃ）参照）を通しそのボルト５と圧着端子２２とをナット６により固定している。これにより、入力バスバー２０及び出力電線２１が互いに電気的に接続される。
【００１３】
また、本実施形態の端子台構造では、入力配線としての入力バスバー２５の端部に形成される孔と、出力配線としての出力電線２６端部の圧着端子２７に形成される孔にそれぞれ端子台１の上段に設けられるボルトを通しそのボルトと入力バスバー２５及び圧着端子２７とをナット２８により固定している。この構成は図２に示す既存の端子台構造と同じであり、この構成により入力バスバー２５及び出力電線２６が互いに電気的に接続される。
【００１４】
本実施形態の端子台構造において特徴とする点は、入力バスバー２０に接続される入力端子としてのボルト３と、入力バスバー２５に接続される入力端子としての端子台１上段のボルトとが端子台１において階段状に設けられ、かつ、出力電線２１に接続される出力端子としてのボルト５と、出力電線２６に接続される出力端子としての端子台１上段のボルトとが端子台１において階段状に設けられている点と、ボルト３とボルト５とが端子台１内のバスバー２により電気的に接続されている点である。なお、上記「端子台１上段のボルト」は、入力端子と出力端子とを兼用するボルトとする。
【００１５】
すなわち、本実施形態の端子台構造では、端子台１において入力バスバー２０、２５が組み付けられる入力側（端子台１の長手方向の一方端）を２段の上り階段状に形成すると共に出力電線２１、２６が組み付けられる出力側（端子台１の長手方向の他方端）を２段の下り階段状に形成することにより端子台１を２段のピラミッド状に形成し、かつ、入力側の上から２段目と出力側の上から２段目との間を端子台１内のバスバー２により架橋している。
【００１６】
これにより、入力バスバー２０、２５と出力電線２１、２６とをそれぞれ端子台１の長手方向に沿って同一直線上に組み付けることができるので、入力バスバー２０や出力電線２１を取り回すために曲げる必要がなくなり端子台１の隣に配線の曲げの分の空間を確保する必要がなくなる。そのため、端子台１を備える装置内に空間の余裕がない場合でもその装置の大型化を防止することができる。
【００１７】
また、本実施形態の端子台構造では、バスバー２を直線状に形成しているので、バスバー２を端子台１に一体に成型しても端子台１の形状を直線状に維持することができる。そのため、端子台１が装置に設置される場合のその端子台１周辺の空間を有効利用することができる。
【００１８】
なお、上記実施形態では、端子台１やバスバー２に設けられる入力端子または出力端子としてのボルトと、入力バスバー２０、２５や出力電線２１、２６とがナットにより固定されているが、端子台１の上段内部に設けられる入力端子または出力端子としてのナット部材のネジ穴に入力バスバー２５端部の孔と圧着端子２７の孔をそれぞれ通ったボルトを固定することにより入力バスバー２５と出力電線２６とを電気的に接続し、さらに、バスバー２の一方端に形成される入力端子としてのナット部のネジ穴に入力バスバー２０端部の孔を通ったボルトを固定すると共にバスバー２の他方端に形成される出力端子としてのナット部のネジ穴に圧着端子２２の孔を通ったボルトを固定することにより入力バスバー２０と出力電線２１とを電気的に接続してもよい。
【００１９】
また、上記実施形態では、バスバー２を直線状に形成しているが、図１（ｄ）に示すように、バスバー２をＬ字状に形成してもよい。これにより、端子台１をバスバー２の形状に合わせてＬ字状に形成することができるので、その端子台１が装置の隅に設置される場合のその装置の隅の空間を有効利用することができる。また、上記バスバー２の形状は、コの字状やＴ字状など直線状やＬ字状に限定されない。
【００２０】
また、上記実施形態では、端子台１において入力側及び出力側がそれぞれ２段の階段状に形成されているが、端子台１において入力側及び出力側をそれぞれ３段以上の階段状に形成してもよい。この場合、上から２段目以下の入力側と出力側とを端子台１内のバスバー２で全て架橋する必要がある。
【００２１】
また、上記実施形態では、入力バスバー２５と出力電線２６とがバスバー２を介さずに接続されているが、入力バスバー２５と出力電線２６とをバスバー２を介して接続してもよい。すなわち、全ての入力配線と出力配線とをバスバー２を介して接続してもよい。
【００２２】
また、上記実施形態では、端子台１が上向きに凸のピラミッド状に形成されているが、端子台１を下向きに凸のピラミッド状に形成してもよい。この場合、複数の入力端子と複数の出力端子との各接続を全てバスバー２で接続する必要がある。
【００２３】
また、上記実施形態において、端子台１の材質は例えば樹脂などが考えられるが特には限定されない。
【図面の簡単な説明】
【００２４】
【図１】本発明の実施形態の端子台構造を示す図である。
【図２】既存の端子台構造を示す図である。
【符号の説明】
【００２５】
１  端子台
２  バスバー
３  ボルト
４  ナット
５  ボルト
６  ナット
２０  入力バスバー
２１  出力電線
２２  圧着端子
２３  端子台
２４  ナット
２５  入力バスバー
２６  出力電線
２７  圧着端子
２８  ナット
２９  ボルト
【図１】
2008103249.tif 000003
【図２】
2008103249.tif 000004